【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
ワイヤレスドッキングのための方法であって、前記方法は、
ワイヤレスドッキングセンター（ＷＤＣ）によって、およびワイヤレスドッキー（ＷＤ）に、ユーザタイプ認証が前記ＷＤＣによりサポートされているというインジケーションを少なくとも送ることによって、前記ＷＤＣによって、および前記ＷＤと、事前関連発見を実行することと、
前記ＷＤＣによって、および前記ＷＤから、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を受信することと、
少なくとも
前記ＷＤＣによって、および前記ＷＤから、前記ＷＤのユーザに対応する１つまたは複数の認証証明書を受信することと、
前記ＷＤＣによって、前記要求を完了するための権限を前記ＷＤから受信された前記１つまたは複数の認証証明書が付与するかどうかを決定することと、
前記要求を完了するためのアクセスを前記１つまたは複数の認証証明書が付与すると決定したことに応答して、前記ＷＤＣによって、および前記ＷＤに、前記ＷＤＣが前記要求を受け入れることを示すメッセージを送ることと
によってユーザタイプ認証を実行することと
を備える、方法。
【請求項２】
前記ＷＤＣによって、および前記ＷＤから、前記ＷＤＣと関連付けられる１つまたは複数の周辺機能（ＰＦ）にアクセスするための要求を受信することと、
前記ＷＤＣによって、前記ＷＤがアクセスを要求する前記１つまたは複数のＰＦへのアクセスを前記ＷＤから受信された前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記ＷＤＣによって、前記ＷＤが前記第１のＰＦにアクセスすることを許可することと、
前記ＷＤがアクセスを要求する前記１つまたは複数のＰＦの第２のＰＦ１つへのアクセスを前記１つまたは複数の認証証明書が付与しないと決定したことに応答して、前記ＷＤＣによって、前記ＷＤが前記第２のＰＦにアクセスするのを防ぐことと
をさらに備える、請求項１に記載の方法。
【請求項３】
前記１つまたは複数の認証証明書は、
ユーザタイプと、
パスフレーズと
のうちの１つまたは複数を示す、請求項１に記載の方法。
【請求項４】
前記要求を完了するための権限を前記１つまたは複数の認証証明書が付与しないと決定したことに応答して、前記ＷＤＣによって、および前記ＷＤに、前記ＷＤＣが前記要求を受け入れないことを示すメッセージを送ること
をさらに備える、請求項１に記載の方法。
【請求項５】
ワイヤレスドッキングセンター（ＷＤＣ）であって、
メモリと、
１つまたは複数のプロセッサと、
少なくとも１つのモジュールと
を備え、前記少なくとも１つのモジュールは、
前記ＷＤＣによって、およびワイヤレスドッキー（ＷＤ）に、ユーザタイプ認証が前記ＷＤＣによりサポートされているというインジケーションを少なくとも送ることによって、前記ＷＤと、事前関連発見を実行することと、
前記ＷＤから、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を受信することと、
ユーザタイプ認証を実行することと
を行うように前記１つまたは複数のプロセッサによって実行可能であり、ここにおいて、ユーザタイプ認証を実行するために、前記少なくとも１つのモジュールは、
前記ＷＤから、前記ＷＤのユーザに対応する１つまたは複数の認証証明書を受信することと、
前記要求を完了するための権限を前記ＷＤから受信された前記１つまたは複数の認証証明書が付与するかどうかを決定することと、
前記要求を完了するためのアクセスを前記１つまたは複数の認証証明書が付与すると決定したことに応答して、前記ＷＤに、前記ＷＤＣが前記要求を受け入れることを示すメッセージを送ることと、
を行うように前記１つまたは複数のプロセッサによって実行可能である、ＷＤＣ。
【請求項６】
前記少なくとも１つのモジュールは、
前記ＷＤから、前記ＷＤＣと関連付けられる１つまたは複数の周辺機能（ＰＦ）にアクセスするための要求を受信することと、
前記ＷＤがアクセスを要求する前記１つまたは複数のＰＦへのアクセスを前記ＷＤから受信された前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記ＷＤが前記第１のＰＦにアクセスすることを許可することと、
前記ＷＤがアクセスを要求する前記１つまたは複数のＰＦの第２のＰＦ１つへのアクセスを前記１つまたは複数の認証証明書が付与しないと決定したことに応答して、前記ＷＤが前記第２のＰＦにアクセスするのを防ぐことと
を行うように前記１つまたは複数のプロセッサによってさらに実行可能である、請求項５に記載のＷＤＣ。
【請求項７】
前記１つまたは複数の認証証明書は、
ユーザタイプと、
パスフレーズと
のうちの１つまたは複数を示す、請求項５に記載のＷＤＣ。
【請求項８】
前記少なくとも１つのモジュールは、
前記要求を完了するための権限を前記１つまたは複数の認証証明書が付与しないと決定したことに応答して、前記ＷＤに、前記ＷＤＣが前記要求を受け入れないことを示すメッセージを送ること
を行うように前記１つまたは複数のプロセッサによってさらに実行可能である、請求項５に記載のＷＤＣ。
【請求項９】
ワイヤレスドッキングセンター（ＷＤＣ）であって、
前記ＷＤＣによって、およびワイヤレスドッキー（ＷＤ）に、ユーザタイプ認証が前記ＷＤＣによりサポートされているというインジケーションを少なくとも送ることによって、前記ＷＤと、事前関連発見を実行するための手段と、
前記ＷＤから、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を受信するための手段と、
前記ＷＤから、前記ＷＤのユーザに対応する１つまたは複数の認証証明書を受信するための手段と、
前記要求を完了するための権限を前記ＷＤから受信された前記１つまたは複数の認証証明書が付与するかどうかを決定するための手段と、
前記要求を完了するためのアクセスを前記１つまたは複数の認証証明書が付与すると決定したことに応答して、前記ＷＤに、前記ＷＤＣが前記要求を受け入れることを示すメッセージを送るための手段と
を備えるユーザタイプ認証を実行するための手段と
を備える、ＷＤＣ。
【請求項１０】
前記ＷＤから、前記ＷＤＣと関連付けられる１つまたは複数の周辺機能（ＰＦ）にアクセスするための要求を受信するための手段と、
前記ＷＤがアクセスを要求する前記１つまたは複数のＰＦへのアクセスを前記ＷＤから受信された前記１つまたは複数の認証証明書が付与するかどうかを決定するための手段と、
前記ＷＤがアクセスを要求する前記１つまたは複数のＰＦの第１のＰＦへのアクセスを前記１つまたは複数の認証証明書が付与すると決定したことに応答して、前記ＷＤが前記第１のＰＦにアクセスすることを許可するための手段と、
前記ＷＤがアクセスを要求する前記１つまたは複数のＰＦの第２のＰＦへのアクセスを前記１つまたは複数の認証証明書が付与しないと決定したことに応答して、前記ＷＤが前記第２のＰＦにアクセスするのを防ぐための手段と
をさらに備える、請求項９に記載のＷＤＣ。
【請求項１１】
実行されると、ワイヤレスドッキングセンター（ＷＤＣ）の１つまたは複数のプロセッサに、
前記ＷＤＣによって、およびワイヤレスドッキー（ＷＤ）に、ユーザタイプ認証が前記ＷＤＣによりサポートされているというインジケーションを少なくとも送ることによって、前記ＷＤと、事前関連発見を実行することと、
前記ＷＤから、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を受信することと、
ユーザタイプ認証を実行することと、
を行わせる命令を記憶し、ここにおいて、前記１つまたは複数のプロセッサに前記ユーザタイプ認証を実行することを行わせる前記命令は、前記１つまたは複数のプロセッサに、
前記ＷＤから、前記ＷＤのユーザに対応する１つまたは複数の認証証明書を受信することと、
前記要求を完了するための権限を前記ＷＤから受信された前記１つまたは複数の認証証明書が付与するかどうかを決定することと、
前記要求を完了するためのアクセスを前記１つまたは複数の認証証明書が付与すると決定したことに応答して、前記ＷＤに、前記ＷＤＣが前記要求を受け入れることを示すメッセージを送ることと
を行わせる命令を備える、非一時的コンピュータ可読記憶媒体。
【請求項１２】
実行されると、前記ＷＤＣの１つまたは複数のプロセッサに、
前記ＷＤから、前記ＷＤＣと関連付けられる１つまたは複数の周辺機能（ＰＦ）にアクセスするための要求を受信することと、
前記ＷＤがアクセスを要求する前記１つまたは複数のＰＦへのアクセスを前記ＷＤから受信された前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記ＷＤが前記第１のＰＦにアクセスすることを許可することと、
前記ＷＤがアクセスを要求する前記１つまたは複数のＰＦの第２のＰＦへのアクセスを前記１つまたは複数の認証証明書が付与しないと決定したことに応答して、前記ＷＤが前記第２のＰＦにアクセスするのを防ぐことと
を行わせる命令をさらに記憶する、請求項１１に記載の非一時的コンピュータ可読記憶媒体。
【請求項１３】
ワイヤレスドッキングのための方法であって、前記方法は、
ワイヤレスドッキー（ＷＤ）によって、およびワイヤレスドッキングセンター（ＷＤＣ）から、ユーザタイプ認証が前記ＷＤＣによりサポートされているというインジケーションを少なくとも受信することによって、前記ＷＤによって、前記ＷＤＣと、事前関連発見を実行することと、
前記ＷＤによって、および前記ＷＤＣに、前記ＷＤＣと関連付けられる１つまたは複数の周辺機能（ＰＦ）にアクセスするための要求を送ることと、
前記ＷＤによって、および前記ＷＤＣに、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を送ることと、
前記ＷＤによって、および前記ＷＤＣから、前記要求を前記ＷＤＣが受け入れるかどうかを示すメッセージを受信することと
少なくとも
前記ＷＤによって、および前記ＷＤＣに、前記ＷＤのユーザに対応する１つまたは複数の認証証明書を送ることと、
前記ＷＤによって、前記ＷＤがアクセスを要求する前記１つまたは複数のＰＦへのアクセスを前記ＷＤＣに送られた前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記ＷＤによって、前記第１のＰＦにアクセスすることと
によってユーザタイプ認証を実行することと
を備える、方法。
【請求項１４】
前記１つまたは複数の認証証明書は、
ユーザタイプと、
パスフレーズと
のうちの１つまたは複数を示す、請求項１３に記載の方法。
【請求項１５】
ワイヤレスドッキー（ＷＤ）であって、
メモリと、
１つまたは複数のプロセッサと、
少なくとも１つのモジュールと
を備え、前記少なくとも１つのモジュールは、
前記ＷＤによって、およびワイヤレスドッキングセンター（ＷＤＣ）から、ユーザタイプ認証が前記ＷＤＣによりサポートされているというインジケーションを少なくとも受信することによって、前記ＷＤＣと、事前関連発見を実行することと、
前記ＷＤＣに、前記ＷＤＣと関連付けられる１つまたは複数の周辺機能（ＰＦ）にアクセスするための要求を送ることと、
前記ＷＤＣに、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を送ることと、
前記ＷＤＣから、前記要求を前記ＷＤＣが受け入れるかどうかを示すメッセージを受信することと、
少なくとも、
前記ＷＤＣに、前記ＷＤのユーザに対応する１つまたは複数の認証証明書を送ることと、
前記ＷＤがアクセスを要求する前記１つまたは複数のＰＦへのアクセスを前記ＷＤＣに送られた前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記ＷＤによって前記第１のＰＦにアクセスすることと
によってユーザタイプ認証を実行することと
を行うように前記１つまたは複数のプロセッサによって実行可能である、ＷＤ。
【請求項１６】
前記１つまたは複数の認証証明書は、
ユーザタイプと、
パスフレーズと
のうちの１つまたは複数を示す、請求項１５に記載のＷＤ。
【請求項１７】
ワイヤレスドッキー（ＷＤ）であって、
前記ＷＤによって、およびワイヤレスドッキングセンター（ＷＤＣ）から、ユーザタイプ認証が前記ＷＤＣによりサポートされているというインジケーションを少なくとも受信することによって、前記ＷＤＣと、事前関連発見を実行するための手段と、
前記ＷＤＣに、前記ＷＤＣと関連付けられる１つまたは複数の周辺機能（ＰＦ）にアクセスするための要求を送るための手段と、
前記ＷＤＣに、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を送るための手段と、
前記ＷＤＣから、前記要求を前記ＷＤＣが受け入れるかどうかを示すメッセージを受信するための手段と、
前記ＷＤによって、および前記ＷＤＣに、前記ＷＤのユーザに対応する１つまたは複数の認証証明書を送るための手段と、
前記ＷＤによって、前記ＷＤがアクセスを要求する前記１つまたは複数のＰＦへのアクセスを前記ＷＤＣに送られた前記１つまたは複数の認証証明書が付与するかどうかを決定するための手段と、
前記ＷＤがアクセスを要求する前記１つまたは複数のＰＦの第１のＰＦへのアクセスを前記１つまたは複数の認証証明書が付与すると決定したことに応答して、前記第１のＰＦにアクセスするための手段と
を備えるユーザタイプ認証を実行するための手段と
を備える、ＷＤ。
【請求項１８】
実行されると、ワイヤレスドッキー（ＷＤ）の１つまたは複数のプロセッサに、
前記ＷＤによって、およびワイヤレスドッキングセンター（ＷＤＣ）から、ユーザタイプ認証が前記ＷＤＣによりサポートされているというインジケーションを少なくとも受信することによって、前記ＷＤＣと、事前関連発見を実行することと、
前記ＷＤＣに、前記ＷＤＣと関連付けられる１つまたは複数の周辺機能（ＰＦ）にアクセスするための要求を送ることと、
前記ＷＤＣに、
前記ＷＤＣにおいて使用するために新たなワイヤレスドッキング環境（ＷＤＮ）を作成することと、
前記ＷＤＣと関連付けられる既存のＷＤＮを修正することと、
前記ＷＤＣと関連付けられる前記既存のＷＤＮを削除することと
のうちの１つまたは複数のための要求を送ることと、
前記ＷＤＣから、前記要求を前記ＷＤＣが受け入れるかどうかを示すメッセージを受信することと、
ユーザタイプ認証を実行することと、
を行わせる、命令を記憶し、ここにおいて、前記１つまたは複数のプロセッサに前記ユーザタイプ認証を実行することを行わせる前記命令は、前記１つまたは複数のプロセッサに、
前記ＷＤＣに、前記ＷＤのユーザに対応する１つまたは複数の認証証明書を送ることと、
前記ＷＤがアクセスを要求する前記１つまたは複数のＰＦへのアクセスを前記ＷＤＣに送られた前記１つまたは複数の認証証明書が付与するかどうかを決定することと、
前記ＷＤがアクセスを要求する前記１つまたは複数のＰＦの第１のＰＦへのアクセスを前記１つまたは複数の認証証明書が付与すると決定したことに応答して、前記第１のＰＦにアクセスすることと
を行わせる命令を備える、非一時的コンピュータ可読記憶媒体。